【手続補正書】
【提出日】平成29年12月11日(2017.12.11)
【手続補正１】
【補正対象書類名】明細書
【補正対象項目名】０２７８
【補正方法】変更
【補正の内容】
【０２７８】
表５のデータは、四級アンモニウムグルカンポリマーが、異なる塩及びｐＨ条件下で種々の種類の布地に吸着し得ることを示す。この吸着は、ポリマーへの曝露後に布地をすすいだ場合でも起こる。グルカンエーテルが、綿に吸着するのに加え、ポリエステル及びポリエステル／クレトンブレンドに吸着できたことは注目に値する。
このように、水性組成物中のポリα−１，３−グルカンエーテル誘導体は布地に吸着できる。
【手続補正２】
【補正対象書類名】明細書
【補正対象項目名】０２７９
【補正方法】変更
【補正の内容】
【０２７９】
以上、本発明を要約すると下記のとおりである。
１．以下の構造により表されるポリα−１，３−グルカンエーテル化合物を含む組成物：
【化１３】
2017500409.tif 000001
（式中
（ｉ）ｎは少なくとも６であり、
（ｉｉ）各Ｒは、独立に、Ｈ又は正電荷を帯びた有機基であり、且つ
（ｉｉｉ）前記化合物は、約０．０５から約３．０の置換度を有する）。
２．少なくとも１種の正電荷を帯びた有機基が、置換されているアンモニウム基を含む、上記１に記載の組成物。
３．前記正電荷を帯びた有機基が、トリメチルアンモニウム基を含む、上記２に記載の組成物。
４．前記正電荷を帯びた有機基が、四級アンモニウム基である、上記２に記載の組成物。５．少なくとも１種の正電荷を帯びた有機基が、アルキル基又はヒドロキシアルキル基を含む、上記１に記載の組成物。
６．少なくとも１種の正電荷を帯びた有機基が、四級アンモニウムヒドロキシプロピル基である、上記５に記載の組成物。
７．ポリα−１，３−グルカンエーテル化合物を製造する方法であって、
（ａ）ポリα−１，３−グルカンを、アルカリ条件下での反応物中で、正電荷を帯びた有機基を含む少なくとも１種のエーテル化剤と接触させ、少なくとも１種の正電荷を帯びた有機基が前記ポリα−１，３−グルカンにエーテル化されて、それにより以下の構造により表されるポリα−１，３−グルカンエーテル化合物を製造すること：
【化１４】
2017500409.tif 000002
（式中
（ｉ）ｎは少なくとも６であり、
（ｉｉ）各Ｒは、独立に、Ｈ又は正電荷を帯びた有機基であり、且つ
（ｉｉｉ）前記化合物は、約０．０５から約３．０の置換度を有する）；及び
（ｂ）任意選択で、工程（ａ）で製造された前記ポリα−１，３−グルカンエーテル化合物を単離すること
を含む方法。
８．前記アルカリ条件がアルカリ水酸化物溶液を含む、上記７に記載の方法。
９．前記反応物が有機溶媒を含む、上記７に記載の方法。
１０．前記有機溶媒がイソプロパノールである、上記９に記載の方法。
１１．工程（ａ）が、
（ｉ）前記反応物を加熱すること；及び／又は
（ｉｉ）前記反応物のｐＨを中和すること
をさらに含む、上記７に記載の方法。
１２．少なくとも１種の正電荷を帯びた有機基が、置換されているアンモニウム基を含む、上記７に記載の方法。
１３．少なくとも１種の正電荷を帯びた有機基が、トリメチルアンモニウム基を含む、上記１２に記載の方法。
１４．以下の構造により表されるポリα−１，３−グルカンエーテル化合物を含む親水コロイド又は水溶液：
【化１５】
2017500409.tif 000003
（式中
（ｉ）ｎは少なくとも６であり、
（ｉｉ）各Ｒは、独立に、Ｈ又は正電荷を帯びた有機基であり、
（ｉｉｉ）前記化合物は、約０．０５から約３．０の置換度を有し、且つ
（ｉｖ）前記親水コロイド又は水溶液は、少なくとも約１０ｃＰｓの粘度を有する）。
１５．水性組成物の粘度を増加させる方法であって、
ポリα−１，３−グルカンエーテル化合物を前記水性組成物と接触させることを含み、前記水性組成物の粘度が前記化合物により増加し、
前記化合物が以下の構造により表される方法：
【化１６】
2017500409.tif 000004
（式中
（ｉ）ｎは少なくとも６であり、
（ｉｉ）各Ｒは、独立に、Ｈ又は正電荷を帯びた有機基であり、且つ
（ｉｉｉ）前記化合物は、約０．０５から約３．０の置換度を有する）。
１６．材料を処理する方法であって、
材料を、以下の構造により表されるポリα−１，３−グルカンエーテル化合物を含む水性組成物と接触させることを含む方法：
【化１７】
2017500409.tif 000005
（式中
（ｉ）ｎは少なくとも６であり、
（ｉｉ）各Ｒは、独立に、Ｈ又は正電荷を帯びた有機基であり、且つ
（ｉｉｉ）前記化合物は、約０．０５から約３．０の置換度を有する）。
【手続補正３】
【補正対象書類名】特許請求の範囲
【補正対象項目名】全文
【補正方法】変更
【補正の内容】
【特許請求の範囲】
【請求項１】
以下の構造により表されるポリα−１，３−グルカンエーテル化合物を含む組成物：
【化１】
2017500409.tif 000006
（式中
（ｉ）ｎは少なくとも６であり、
（ｉｉ）各Ｒは、独立に、Ｈ又は正電荷を帯びた有機基であり、且つ
（ｉｉｉ）前記化合物は、約０．０５から約３．０の置換度を有する）。
【請求項２】
ポリα−１，３−グルカンエーテル化合物を製造する方法であって、
（ａ）ポリα−１，３−グルカンを、アルカリ条件下での反応物中で、正電荷を帯びた有機基を含む少なくとも１種のエーテル化剤と接触させ、少なくとも１種の正電荷を帯びた有機基が前記ポリα−１，３−グルカンにエーテル化されて、それにより以下の構造により表されるポリα−１，３−グルカンエーテル化合物を製造すること：
【化２】
2017500409.tif 000007
（式中
（ｉ）ｎは少なくとも６であり、
（ｉｉ）各Ｒは、独立に、Ｈ又は正電荷を帯びた有機基であり、且つ
（ｉｉｉ）前記化合物は、約０．０５から約３．０の置換度を有する）；及び
（ｂ）任意選択で、工程（ａ）で製造された前記ポリα−１，３−グルカンエーテル化合物を単離すること
を含む方法。
【請求項３】
以下の構造により表されるポリα−１，３−グルカンエーテル化合物を含む親水コロイド又は水溶液：
【化３】
2017500409.tif 000008
（式中
（ｉ）ｎは少なくとも６であり、
（ｉｉ）各Ｒは、独立に、Ｈ又は正電荷を帯びた有機基であり、
（ｉｉｉ）前記化合物は、約０．０５から約３．０の置換度を有し、且つ
（ｉｖ）前記親水コロイド又は水溶液は、少なくとも約１０ｃＰｓの粘度を有する）。
【請求項４】
水性組成物の粘度を増加させる方法であって、
ポリα−１，３−グルカンエーテル化合物を前記水性組成物と接触させることを含み、前記水性組成物の粘度が前記化合物により増加し、
前記化合物が以下の構造により表される方法：
【化４】
2017500409.tif 000009
（式中
（ｉ）ｎは少なくとも６であり、
（ｉｉ）各Ｒは、独立に、Ｈ又は正電荷を帯びた有機基であり、且つ
（ｉｉｉ）前記化合物は、約０．０５から約３．０の置換度を有する）。
【請求項５】
材料を処理する方法であって、
材料を、以下の構造により表されるポリα−１，３−グルカンエーテル化合物を含む水性組成物と接触させることを含む方法：
【化５】
2017500409.tif 000010
（式中
（ｉ）ｎは少なくとも６であり、
（ｉｉ）各Ｒは、独立に、Ｈ又は正電荷を帯びた有機基であり、且つ
（ｉｉｉ）前記化合物は、約０．０５から約３．０の置換度を有する）。